(57)【要約】【課題】起立姿勢を損なうことなしに押圧ヘッドを確実にロックできるバージン機能の付与された容器用ポンプのストッパーを提案する。【解決手段】容器内の内容物を注出するポンプの押圧ヘッド下端と、該ポンプのべース２の上端２ａにそれぞれ当接する端面３ａ、３ｂを有し、その相互間に位置するべース２の筒体２ｂを取り囲む周壁３ｃとを備えたストッパーにおいて、前記周壁３ｃに、筒体２ｂを通過させて周壁３ｃの内側に位置せしめる挿入ゲート４と、この挿入ゲート４の各端部にそれぞれ揺動可能に保持され、揺動端同士を離反不能に突き合わせることによって該ゲート４を閉鎖する左右一対の扉壁５ａ、５ｂと、該周壁３ｃの上下方向に沿って設けられ、その部位を起点に周壁３ｃを部分的に引きちぎることによりストッパーを取り外すためのゲート４を形成する弱化部とを設ける。【選択図】図２
2010105739.tif 000002
【特許請求の範囲】
【請求項１】
容器内の内容物を注出するポンプの押圧ヘッド下端と、該ポンプのべースの上端にそれぞれ当接する端面を有し、その相互間に位置するべースの筒体を取り囲む周壁とを備えたストッパーであって、
前記周壁に、ポンプステムを通過させて周壁の内側に位置せしめる挿入ゲートと、この挿入ゲートの各端部に揺動可能に保持され、揺動端同士を離反不能に突き合わせることによって該ゲートを閉鎖する左右一対の扉壁と、該周壁の上下方向に沿って設けられ、その部位を起点に周壁を部分的に引きちぎることによりストッパーを取り外すゲートを形成する弱化部とを設けたことを特徴とする容器用ポンプのストッパー。
【請求項２】
前記弱化部が左右一対の扉壁をそれぞれ揺動可能に保持するヒンジである、請求項１記載の容器用ポンプのストッパー。
【請求項３】
前記弱化部が、ヒンジとは別個に設けられ、周壁の端面相互に向けて伸延する少なくとも一本の切欠溝部である、請求項１記載の容器用ポンプのストッパー。
【請求項４】
前記周壁は、該周壁の部分的な引きちぎりに際して把持する摘み部を有する、請求項１〜３の何れかに記載の容器用ポンプのストッパー。
【請求項５】
前記摘み部は、下端部が周壁の上端面に一体連結し上端部が自由端でかつ押圧ヘッドの周壁から離れる向きに反り返った起立片からなる、請求項４記載の容器用ポンプのストッパー。
【請求項６】
前記周壁の内面に、べースの筒体に当接してストッパーの筒体に対する位置決めを行うとともにがたつきを防止する押さえ部材を設けた、請求項１〜５の何れかに記載の容器用ポンプのストッパー。
【請求項７】
前記左右一対の扉壁はそれぞれ、揺動端同士の突き合わせを可能とするＬ字形状の縦リブを有する、請求項１〜６の何れかに記載の容器用ポンプのストッパー。
【発明の詳細な説明】
【技術分野】
【０００１】
本発明は、押圧ヘッドを繰り返し押圧することによって容器内の内容物を注出する容器用ポンプ（液体注出用ポンプ）に適用して好適なストッパーに関するものであり、不正な開封がなされたかどうか判別できるバージン機能を付与するとともに、押圧ヘッドの倒れ込みを起こすことなしに該押圧ヘッドを確実にロックしようとするものである。
【背景技術】
【０００２】
押圧ヘッドを繰り返し押し込むことによって内容物を注出するプライミング形式のポンプを装着した容器にあっては、流通過程での内容物の不用意な流出と不正な開封を防止する観点から、押圧ヘッドの下端と、ベース部との間に、弾性変形させることによって着脱自在可能なＣ字形状をなすストッパーを取り付け、その外側からシュリンクラベルやタックシール等を貼着して不正か開封が行われたかどうか目視でもって判断できるようにバージン機能が付与されている（例えば、特許文献１参照）。
【０００３】
ところで、この種のストッパーは、シールを貼着する余計な工程が付加されるため生産性の改善を図るにも限界があり、また、シールの貼着に際して押圧ヘッドがストッパーの切欠部分に向けて倒れ込んでしまうこともあって商品の外観を損ないかねないことも懸念されており、その解決が望まれていた。
【先行技術文献】
【特許文献】
【０００４】
【特許文献１】実公昭６３−３３６４６号公報
【発明の概要】
【発明が解決しようとする課題】
【０００５】
本発明の課題は、押圧ヘッドの倒れ込みを起こすことなしに該押圧ヘッドを確実にロックできるバージン機能の付与された容器用ポンプのストッパーを提案するところにある。
【課題を解決するための手段】
【０００６】
本発明は、容器内の内容物を注出するポンプの押圧ヘッド下端と、該ポンプのべース上端にそれぞれ当接する端面を有し、その相互間に位置するのべースの筒体を取り囲む周壁とを備えたストッパーであって、
前記周壁に、ポンプステムを通過させて周壁の内側に位置せしめる挿入ゲートと、この挿入ゲートの各端部にそれぞれ揺動可能に保持され、揺動端同士を離反不能に突き合わせることによって該ゲートを閉鎖する左右一対の扉壁と、該周壁の上下方向に沿って設けられ、その部位を起点に周壁を部分的に引きちぎることにより該周壁の全体を取り外すゲートを形成する弱化部とを設けたことを特徴とする容器用ポンプのストッパーである。
【０００７】
本発明にしたがうストッパーにおいては、弱化部を左右一対の扉壁をそれぞれ揺動可能に保持するヒンジで構成することができる。また、弱化部はヒンジとは別個に設けられ、周壁の端面相互に向けて伸延する少なくとも一本の切欠溝部によって形成することもできる。
【０００８】
間隔をおいて二本の切欠溝部を形成することにより扉壁の対向位置に壁部を設け、該切欠溝部を起点とする壁部の引きちぎりによってストッパーの取り外し用ゲートを形成するのが好ましい。
【０００９】
また、周壁の上端（押圧ヘッド下端に当接する端面）には、該周壁の部分的な引きちぎりに際して把持する摘み部を設けることができ、とくに、下端部が周壁の上端面に一体連結し上端部が自由端でかつ押圧ヘッドの周壁から離れる向きに反り返った起立片を適用する。
【００１０】
周壁の内面には、筒体に当接してストッパーの該筒体に対する位置決めを行うとともにがたつきを防止する押さえ部材を設けるのが望ましい。
【００１１】
さらに、左右一対の扉壁はそれぞれ、揺動端同士の突き合わせを可能とするＬ字形状の縦リブを設けることができ、この縦リブの揺動端同士の突き合わせ状態におくことによりＴ字状の摘み部を形成する。
【発明の効果】
【００１２】
本発明にしたがう容器用ポンプのストッパーは、べースの筒体（あるいはポンプステム）の全周を取り囲むものであることから、押圧ヘッドが傾いてロックされることがない。また、ストッパーはその周壁に形成した弱化部を起点に周壁を部分的に引きちぎることによって取り外すことができるので不正に開封されたかどうかが一目で把握可能であり生産性の低下につながるシュリンクラベルやタックシール等の貼着は不要となる。
【図面の簡単な説明】
【００１３】
【図１】（ａ）（ｂ）は本発明にしたがうストッパーの実施の形態をプライミング吐出器に取り付けた状態で示した図である。
【図２】（ａ）（ｂ）は図１に示したストッパーの外観斜視図である。
【図３】（ａ）〜（ｃ）は図１に示したストッパーの取り付け、取り外し状態を示した図である。
【図４】本発明にしたがうストッパーの他の実施の形態を示した図である。
【図５】（ａ）〜（ｃ）は本発明にしたがうストッパーの変形例を示した図である。
【図６】（ａ）（ｂ）は本発明にしたがうストッパーのさらに他の実施の形態を示した図である。
【図７】（ａ）（ｂ）は図６に示したストッパーの外観斜視図である。
【発明を実施するための形態】
【００１４】
以下、図面を用いて本発明をより具体的に説明する。
図１（ａ）（ｂ）は本発明にしたがうストッパーの実施の形態を、押圧ヘッドを備えた液体注出用ポンプに取り付けた状態で示した図であり、図２（ａ）（ｂ）は装着前（成型時）および装着後におけるストッパーの外観斜視図である。
【００１５】
図における１は液体注出用ポンプの押圧ヘッド、２は該ポンプを押圧ヘッド１とともに保持するべースである。べース２はキャップ状部材からなり、その内周壁部にはねじ部が設けられており、容器の口部に形成されたねじ部に係合して着脱できるようになっている。
【００１６】
また、３はストッパーである。このストッパー３は押圧ヘッド下端１ａと、べース２の上端２ａの相互間に当接する端面３ａ、３ｂを有し、筒体（ポンプステムを含む、図６参照）２ｂを取り囲む周壁３ｃからなっている。周壁３ｃは筒体２ｂの全周にわたって接触するものでもよいし複数箇所で接触するものであってもよい。
【００１７】
また、４はポンプステムを通過させて周壁３の内側に筒体２ｂを位置せしめる挿入ゲート（図２（ａ）参照）、５ａ、５ｂは挿入ゲート４の各端部にそれぞれヒンジｈを介して揺動可能に保持された扉壁である。この扉壁５ａ、５ｂは揺動端５ａ１、５ｂ１同士を突き合わせることによって挿入ゲート４を閉鎖する。
【００１８】
６は扉壁５ａの揺動端５ａ１に設けられたＬ字形状をなす縦リブ、７は扉壁５ｂの揺動端５ｂ１に設けられたＬ字形状をなす縦リブである。
【００１９】
８は縦リブ６の正面壁に設けられた凸部、９は縦リブ7の正面壁に設けられ、該凸部８に嵌合する孔である。挿入ゲート４を閉塞するに当たって凸部８が孔９に嵌合すると扉壁５ａ、５ｂは離反不能に突き合わさる嵌め殺しタイプとすることにより押圧ヘッド１の押し込みを確実に防止する。
【００２０】
１０は扉壁５ａ、５ｂの対向位置に設けられたコの字形状をなす壁部である。この壁部１０は周壁３ｃの一部分をなすものであり、背面壁１０ａと、この背面壁１０ａの両側に設けられ弱化部ｔを介して周壁３ｃにつながる短辺壁１０ｂ、１０ｃからなっている。ここに弱化部ｔは周壁３ｃの端面相互（上下）に向けて伸延する切欠溝部にて形成されたものを例として示してある。
【００２１】
１１は背面壁１０ａの上端面に一体的に設けられた摘み部である。この摘み部１１は下端部が背面壁１０ａの上端面に一体連結し上端部が自由端である起立片からなっており、該摘み部１１に指を掛けて押圧ヘッド１から離れる向きに該摘み部１１を引き倒すことで弱化部ｔを起点にして壁部１０の引きちぎりを可能とする。
【００２２】
１２は背面壁１０ａの内面に一体的に設けられたＴ字形状をなす押さえ部材である。この押さえ部材１２はストッパーを取り付けた時に筒体２ｂに当接してストッパーの筒体２ｂに対する位置決めを行うとともに、該ストッパー及びポンプステムを含めた押圧ヘッドのがたつきを防止するものであって、これにより押圧ヘッド１の起立姿勢が安定的に保持される。
【００２３】
本発明にしたがうストッパーは、図３（ａ）、（ｂ）に示す如く、扉壁５ａ、５ｂを突き合わせて挿入ゲート４を閉塞するだけの簡単な操作で取り付けを行うことが可能であり、また、図３（ｃ）に示すように、弱化部ｔを起点とする壁部１０の部分的な引きちぎりによって簡単に取り外すことができるため、押圧ヘッドを傾かせる原因になっていたシュリンクラベルやタックシールを別途に取り付ける必要はなく、効率的な製造が可能となる。
【００２４】
扉壁５ａ、５ｂを突き合わせて挿入ゲート４を閉塞すると縦リブ６、７とによってＴ字部分が形成される（図３（ｂ）（ｃ）参照）こととなり、このＴ字部分を摘み部として活用することにより、壁部１０の引きちぎり作業が行い易くなる。
【００２５】
図４は本発明にしたがうストッパーの他の実施の形態を示した図である。弱化部ｔの一方については、筒体２ｂに沿って伸延する細長い切欠部１３と、この切欠部１３につながる薄肉の連結部１４を設け、切欠部１３の壁部１０の縁部に設けた摘み部１１に指を掛けて引きちぎるようにしてもよく、この場合もシュリンクラベルやタックシールの貼着が不要となる。
【００２６】
図５（ａ）〜（ｃ）は本発明にしたがう他の実施の形態を示したものである。この例は、上掲図１〜３において示したヒンジｈを設けずに弱化部ｔをヒンジとして活用した構造のストッパーである。かかるストッパーは構造がより簡素化されるだけでなく、薄肉部分が弱化部ｔのみになるのでストッパーの成型時あるいは取り付け時における不用意な引きちぎれを回避できる利点がある。
【００２７】
図６（ａ）（ｂ）は本発明にしたがうストッパーのさらに他の実施の形態を、押圧ヘッドを備えた液体注出用ポンプに取り付けた状態を示した図であり、図７（ａ）（ｂ）は装着前（成型時）および装着誤におけるストッパーの外観斜視図である。
【００２８】
この例は、図５に示したものと同様にヒンジｈを省略して弱化部ｔにヒンジ機能をもたせるとともに、押さえ部材１２の替りに縦長の突起１５を形成し、押圧ヘッドの周壁から離れる向きに反り返らせた摘み部１１を設けたものである。
【００２９】
かかる構成のストッパーは、ストッパーを形成するのに必要な原料が少なくてすみコストの軽減を図るのに有利であるとともに、サイズのコンパクト化（細径化）が可能であり径方向の寸法が小さい押圧ヘッドに容易に適用し得る。
【産業上の利用可能性】
【００３０】
起立姿勢を損なうことなしに押圧ヘッドを確実にロックできるバージン機能の付与された容器用ポンプ、すなわち液体注出用ポンプのストッパーが提供できる。
【符号の説明】
【００３１】
１    押圧ヘッド
２    べース
２ａ  上端
２ｂ  筒体
３    ストッパー
３ａ  端面
３ｂ  端面
３ｃ  周壁
４    挿入ゲート
５ａ  扉壁
５ｂ  扉壁
６    縦リブ
７    縦リブ
８    凸部
９    孔
１０  壁部
１０ａ背面壁
１０ｂ短辺壁
１０ｃ短辺壁
１１  摘み部
１２  押さえ部材
１３  切欠部
１４  薄肉の連結部
１５  縦長の突起
ｈ    ヒンジ
ｔ    弱化部
【図１】
2010105739.tif 000003
【図２】
2010105739.tif 000004
【図３】
2010105739.tif 000005
【図４】
2010105739.tif 000006
【図５】
2010105739.tif 000007
【図６】
2010105739.tif 000008
【図７】
2010105739.tif 000009